(57)【要約】【課題】移動可能に設けた食器かごを操作する場合に、起動時の操作力を低減することができ、使い勝手を大幅に向上した食器洗い機を実現することができる。【解決手段】洗浄槽１に対して食器かご４を前後方向に移動可能に支持する摺動部材１２を設け、前記摺動部材１２を食器かご４に対して前後方向に移動可能としたものであり、食器かご４を移動するときの起動時の操作力を低減することができ、使用勝手を大幅に向上することができる。【選択図】図１
2005296314.tif 000002
【特許請求の範囲】
【請求項１】
食器等の被洗浄物を収納する食器かごと、前記食器かごを出し入れするための開口部を有する洗浄槽と、前記食器かごの左右両側に設け、前記洗浄槽に対して前記食器かごを前後方向に移動可能に支持する摺動部材とを備え、前記摺動部材は、前記食器かごに対して前後方向に移動可能とした食器洗い機。
【請求項２】
摺動部材は、食器かごに対して、最前方の位置および最後方の位置を規制する構成とした請求項１記載の食器洗い機。
【請求項３】
摺動部材は、その移動範囲を食器かごの略後方側とした請求項２記載の食器洗い機。
【請求項４】
摺動部材は、少なくとも１箇所で食器かごの前半分を支持する構成とした請求項３記載の食器洗い機。
【発明の詳細な説明】
【技術分野】
【０００１】
本発明は、食器等の被洗浄物に洗浄水を噴射して洗浄する食器洗い機に関するものである。
【背景技術】
【０００２】
従来、一般的な食器洗い機は、食器かごに固定した樹脂部材によって、食器かごを洗浄槽内で移動可能に支持していた（例えば、特許文献１参照）。そして、食器かごは一度に多量の食器を洗浄すべく洗浄槽内の上部と下部に設置することが考えられており、以下、その構成について説明する。
【０００３】
図３に示すように、洗浄槽１は前方に開口部１ａを有するとともに、食器２を入れる第１の食器かご３（下段かご）および第２の食器かご４（上段かご）を前後方向に移動可能に支持している。第２の食器かご４は、その移動範囲の全域において、第２の食器かご４の左右両側に固定した摺動部材５を介して洗浄槽１によって支持されている。洗浄槽１の開口部１ａは蓋体６によって開閉される。
【０００４】
洗浄槽１内の洗浄水はヒータ７によって温水化され、洗浄ポンプ８にて排水口９から吸い込まれ、洗浄手段１０に圧送される。洗浄手段１０より勢いよく噴射される洗浄水によって、食器２を洗浄するように構成している。また、排水口９には残さいを捕集する残さいフィルタ１１を具備している。
【０００５】
以上のように構成された食器洗い機について、その動作を以下に説明する。洗浄槽１内に食器を収納するために、蓋体６を開き、第１の食器かご３および第２の食器かご４を前方へ引き出して、食器２をセットする。次に、各々の食器かご３、４を洗浄槽１内へ押し入れ、本体の運転を開始する。運転開始後、洗浄槽１内に供給された洗浄水は、残さいフィルタ１１を通過して洗浄ポンプ８に吸い込まれ、洗浄ポンプ８より洗浄槽１内に設けた洗浄手段１０に供給される。洗浄手段１０から噴射された洗浄水は、食器２を洗浄した後、再び排水口９に戻るという経路で循環する。この際、食器２から脱落した残さい等は、洗浄水とともに残さいフィルタ１１に流入し、この残さいフィルタ１１を通過できない大きさの残さいは残さいフィルタ１１に捕集される。
【特許文献１】特開２０００−２９６０８８号公報
【発明の開示】
【発明が解決しようとする課題】
【０００６】
しかしながら、このような従来の構成では、第２の食器かご４は、その移動範囲の全域において洗浄槽１によって両側から支持されているため、摺動部材５と洗浄槽１との隙間が大きいと、第２の食器かご４が脱落する場合があり、脱落を防止するために、隙間寸法を小さく設定する必要がある。しかしながら、摺動部材５は第２の食器かご４に固定されているため、隙間寸法が小さいと第２の食器かご４を前後方向に移動させる時の操作力が大きくなり、使い勝手が悪くなるという問題があった。
【０００７】
本発明は、上記従来の課題を解決するもので、摺動部材を食器かごに対して移動可能にし、食器かごを操作する場合の、起動時の操作力を低減することにより、使い勝手を向上した食器洗い機を提供することを目的としている。
【課題を解決するための手段】
【０００８】
本発明は上記目的を達成するために、食器等の被洗浄物を収納する食器かごと、前記食器かごを出し入れするための開口部を有する洗浄槽と、前記食器かごの左右両側に設け、前記洗浄槽に対して前記食器かごを前後方向に移動可能に支持する摺動部材とを備え、前記摺動部材は、前記食器かごに対して前後方向に移動可能としたものである。
【０００９】
これにより、食器かごの操作による洗浄槽支持部からの脱落を防止し、かつ、食器かごを移動するときの起動時の操作力を低減することができるため、使い勝手を大幅に向上するものである。
【発明の効果】
【００１０】
本発明の食器洗い機は、摺動部材を食器かごに対して前後方向に移動可能としたことにより、食器かごを移動するときの起動時の操作力を低減することができるため、使い勝手を大幅に向上した食器洗い機を実現することができる。
【発明を実施するための最良の形態】
【００１１】
第１の発明は、食器等の被洗浄物を収納する食器かごと、前記食器かごを出し入れするための開口部を有する洗浄槽と、前記食器かごの左右両側に設け、前記洗浄槽に対して前記食器かごを前後方向に移動可能に支持する摺動部材とを備え、前記摺動部材は、前記食器かごに対して前後方向に移動可能としたことにより、食器かごの操作による洗浄槽支持部からの脱落を防止し、かつ、食器かごを移動するときの起動時の操作力を低減することができるため、使い勝手を大幅に向上することができる。
【００１２】
第２の発明は、上記第１の発明において、摺動部材は、食器かごに対して、最前方の位置および最後方の位置を規制する構成としたことにより、摺動部材に対する食器かごの位置を規制でき、食器かごの姿勢が前傾または後傾になるのを防ぐことができるため、信頼性を向上することができる。
【００１３】
第３の発明は、上記第２の発明において、摺動部材は、その移動範囲を食器かごの略後方側としたことにより、食器かごを洗浄槽から引き出したときに、食器かごに対して側方から食器をセットする動線が確保できるため、より使い勝手を向上することができる。
【００１４】
第４の発明は、上記第３の発明において、摺動部材は、少なくとも１箇所で食器かごの前半分を支持する構成としたことにより、食器かごを洗浄槽から引き出したときに、食器かごが前傾するのを防ぐことができ、食器かごの押し込み時に低い操作力で押し込むことができるため、より使い勝手を向上することができる。
【００１５】
以下、本発明の実施の形態について、図面を参照しながら説明する。なお、従来例と同じ構成のものは同一符号を付して説明を省略する。なお、この実施の形態によって本発明が限定されるものではない。
【００１６】
（実施の形態１）
図１は、本発明の実施の形態１における食器洗い機の縦断面図、図２は正面図である。図１および図２において、食器かご４は、摺動部材１２の４ヶ所の摺動部１３ａ〜１３ｄを介して摺動部材１２を洗浄槽１の内壁に設けた案内部１ｂに移動可能に装着している。摺動部１３ａ〜１３ｄの内、摺動部１３ａは、常時食器かご４の中央よりも前方側に位置している。摺動部材１２には、食器かご４に対する前後方向の位置規制部１４ａ、１４ｂを設けており、摺動部材１２の移動範囲は、食器かご４の中央よりも後方側になるよう設定している。
【００１７】
下方側の摺動部１３ａの形状は、先端を上方に向けた略Ｌ字形状であり、下方側の摺動部１３ｂの形状は、先端を下方に向けた略Ｌ字形状である。また、上方側２箇所の摺動部１３ｃ、１３ｄの形状は、略水平方向に側方へ突出した２本の突起部で構成してあり、食器かご４との間に隙間を設けている。そして、洗浄槽１内壁の両側に対向して内方へ突出させて形成した案内部１ｂに摺動部材１２の摺動部１３ａ、１３ｂを嵌合している。
【００１８】
以上のように構成した食器洗い機について、その動作、作用を説明する。洗浄槽１内の上部に収納されている食器かご４を引き出すとき、摺動部材１２が食器かご４に対して移動可能に設けてあり、側方へ突出した２本の突起部１３ｃ、１３ｄと食器かご４との間に隙間を設けているため、まず、摺動部材１２を残して食器かご４だけが移動を開始する。このため、比較的軽い力で起動できる。次に、食器かご４が矢印方向へある程度移動し、摺動部材１２の前方側の位置規制部１４ａに当接した後、摺動部材１２が食器かご４とともに移動を開始する。このとき、すでに食器かご４は前方に付勢されているため、摺動部材１２は比較的軽い力で動き始める。
【００１９】
食器かご４を完全に引き出した位置では、摺動部材１２の前方側の位置規制部１４ａによって、摺動部材１２が食器かご４に対して係止するため、外れることは無い。また、摺動部材１２の移動範囲は、食器かご４の中央よりも後方側にあるため、食器かご４の側面は開放状態であり、側方から食器２をセットする場合でも、使い勝手を確保することができる。
【００２０】
また、食器かご４を完全に引き出した位置から洗浄槽１内に収納するときは、食器かご４が矢印の反対側へ移動し、摺動部材１２の後方側の位置規制部１４ｂに当接した後、摺動部材１２とともに食器かご４を移動させることができる。したがって、引き出すときと同様に摺動部材１２を軽い力で動作させることができる。
【００２１】
また、摺動部１３ａは、先端を上方に向けた略Ｌ字形状であり、食器かごの４の中央よりも前方側の荷重を受けているため、食器かご４を引き出した状態で食器かご４の前方側が下方側へ垂れ下がることは無い。また、食器かご４に摺動部材１２を組み込む場合は、１３ａおよび１３ｂを食器かご４の線材部に懸止した後、摺動部材１２を回転させながら１３ｃおよび１３ｄを食器かご４の線材に挿入できるため、組立作業性も非常に優れている。
【産業上の利用可能性】
【００２２】
以上のように、本発明にかかる食器洗い機は、摺動部材は食器かごに対して前後方向に移動可能とすることにより、食器かごを移動するときの起動時の操作力を低減することが可能となるので、食器等の被洗浄物に洗浄水を噴射して洗浄する食器洗い機等として有用である。
【図面の簡単な説明】
【００２３】
【図１】本発明の実施の形態１の食器洗い機の縦断面図
【図２】同食器洗い機の正面図
【図３】従来の食器洗い機の縦断面図
【符号の説明】
【００２４】
１  洗浄槽
２  食器
４  食器かご
１２  摺動部材
１３ａ〜１３ｄ  摺動部
【図１】
2005296314.tif 000003
【図２】
2005296314.tif 000004
【図３】
2005296314.tif 000005